(57)【要約】【課題】省エネ対策に有効な遊技媒体貸出装置を提供する。【解決手段】対応するＣＲ遊技機２０の遊技媒体貸出制御を行うＣＲユニット１０は、エリアセンサ１６による遊技者の不在、貨幣投入検知部１７による貨幣投入なし、媒体投入検知部１８による有価価値記録媒体Ｃ無しの省電力モード移行条件が満たされると、自ら省電力モードに移行して消費電力を抑えると共に、遊技機用電源生成部１０ｄによる遊技機用電源の生成を停止して、対応するＣＲ遊技機２０も停止させ、省電力モード中に、エリアセンサ１６による遊技者の存在、貨幣投入検知部１７による貨幣Ｍ投入有り、または媒体投入検知部１８による有価価値記録媒体Ｃ有りの何れか通常モード復帰条件が満たされると、自ら通常モードに復帰すると共に、遊技機用電源生成部１０ｄによる遊技機用電源の生成を再開して、対応するＣＲ遊技機２０も再起動させる。【選択図】図１
2010125038.tif 000002
【特許請求の範囲】
【請求項１】
遊技店に設置された遊技機に夫々対応して設けられ、対応する遊技機で使用する遊技媒体の貸出制御を行う遊技媒体貸出装置において、
遊技機に正対する位置に遊技者が存在する蓋然性の高い遊技者存在状態か、遊技機に正対する位置に遊技者が居ない蓋然性の高い遊技者不在状態か、の判定に用いる遊技者存否情報を取得する遊技者存否情報取得手段と、
前記遊技者存否情報取得手段により取得した遊技者存否情報が予め定めた遊技者存在判定条件を満たすことで遊技者存在状態と判定する遊技者存在状態判定手段と、
前記遊技者存否情報取得手段により取得した遊技者存否情報が予め定めた遊技者不在判定条件を満たすことで遊技者不在状態と判定する遊技者不在状態判定手段と、
通常稼働時に、前記遊技者不在状態判定手段により遊技者不在状態と判定されることを必要条件として、予め定めた省電力時稼働機能群のみを稼働させて電力消費を軽減する省電力モードへ移行させる省電力モード移行手段と、
前記省電力モード移行手段により移行した省電力モード時に、前記遊技者存在状態判定手段により遊技者存在状態と判定される第１復帰条件または遊技者が行う操作の中から予め定めた操作が実行される第２復帰条件の何れかが達成されることに基づいて、通常時の稼働機能群が稼働する通常モードへ復帰させる通常モード復帰手段と、
を備えることを特徴とする遊技媒体貸出装置。
【請求項２】
貨幣投入口より貨幣が投入されていることを検出する貨幣投入センサと、
情報記録媒体挿排口より情報記録媒体が投入されていることを検出する情報記録媒体投入センサと、
を備え、
前記遊技者存否情報取得手段は、遊技機の前面側空間の遮蔽物を検知するエリアセンサの検知情報を遊技者存否情報として取得するようにし、
前記遊技者不在状態判定手段は、前記遊技者存否情報取得手段からの遊技者存否情報により、予め定めた不在判定時間継続して遊技機の前面側空間に遮蔽物が存在しなかったときに、遊技者不在状態と判定するようにし、
遊技者存在状態判定手段は、前記遊技者存否情報取得手段からの遊技者存否情報により、予め定めた存在判定時間継続して遊技機の前面側空間に遮蔽物が存在したときに、遊技者存在状態と判定するようにし、
前記省電力モード移行手段は、前記貨幣投入センサによる貨幣投入が検出されていない第１付加条件と、前記情報記録媒体投入センサによる情報記録媒体投入が検出されていない第２付加条件が、共に満たされているときに、前記遊技者不在状態判定手段が遊技者不在状態と判定することで、省電力モードへ移行させるようにし、
前記通常モード復帰手段が判定する第２復帰条件は、前記貨幣投入センサによる貨幣投入が検出された第１遊技者操作、または、前記情報記録媒体投入センサによる情報記録媒体投入が検出された第２遊技者操作としたことを特徴とする請求項１に記載の遊技媒体貸出装置。
【請求項３】
前記省電力モード移行手段は、省電力時稼働機能群として定めた貨幣投入センサ、情報記録媒体投入センサおよびエリアセンサのみを稼働させ、他の稼働機能群への電力供給およびパルス供給を停止することで省電力モードへ移行し、
前記通常モード復帰手段は、通常時の稼働機能群への電力供給およびパルス供給を再開することで通常モードへ復帰させるようにしたことを特徴とする請求項２に記載の遊技媒体貸出装置。
【請求項４】
遊技機を動作させるための遊技機用電源供給手段を備え、
前記省電力モード移行手段は、省電力モードへ移行するときに、前記遊技機用電源供給手段による遊技機への電力供給を停止するようにしたことを特徴とする請求項１〜請求項３の何れか１項に記載の遊技媒体貸出装置。
【請求項５】
遊技機を動作させるための遊技機用電源供給手段から遊技機への電力供給／停止を制御する出力制御手段に対して、電力の供給／停止を指示する電力供給指示手段を備え、
前記省電力モード移行手段は、省電力モードへ移行するときに、前記電力供給指示手段から出力制御手段に対して電力供給の指示信号を出力させ、遊技機用電源供給手段から遊技機への電力供給を停止するようにしたことを特徴とする請求項１〜請求項３の何れか１項に記載の遊技媒体貸出装置。
【請求項６】
前記請求項４又は請求項５に記載の遊技媒体貸出装置に、通常モードと省電力モードのモード状況を外部へ出力するモード状況送信手段を設け、
通信回線によって接続される管理サーバへ前記遊技媒体貸出装置よりモード状況を送信し、
前記管理サーバにて、遊技媒体貸出装置より受信したモード状況を当該遊技媒体貸出装置に対応する遊技機のモード状況として管理するようにしたことを特徴とする遊技場管理システム。
【請求項７】
前記遊技媒体貸出装置は、省電力モード中に前記管理サーバより通常モード復帰指令信号を受信することで、通常モードへ復帰するものとし、
予め定めた特定台番号の遊技媒体貸出装置が通常モードに移行したとき、管理サーバは、当該特定台番号の遊技媒体貸出装置に対して紐付けした特定集合に属する遊技媒体貸出装置へ通常モード復帰指令信号を送出するようにしたことを特徴とする請求項６に記載の遊技場管理システム。
【発明の詳細な説明】
【技術分野】
【０００１】
本発明は、遊技店における遊技機の消費電力を低減することが可能な遊技媒体貸出装置およびこの遊技媒体貸出装置を含む遊技場管理システムに関する。
【背景技術】
【０００２】
従来より、遊技店で使用されている遊技機は、遊技が行われていないときでも種々の遊技装置やランプ等による装飾が行われており、無駄な電力消費が問題であることから、遊技者検出手段を設けて、遊技者の居ないときには省電力モードにして電力消費を抑えるパチンコ遊技機が提案されている。
【０００３】
【特許文献１】特開２０００−２７１３２４号公報
【発明の開示】
【発明が解決しようとする課題】
【０００４】
しかしながら、上記特許文献１に記載された発明は、パチンコ遊技機自身が省電力モードになるもので、遊技媒体貸出装置の消費電力を低減する技術については開示されていない。また、頻繁に交換されるパチンコ遊技機に電源節約手段を設けるとすると、それがコストアップになってしまい、必ずしも現実的な省エネ対策とは言えない。
【０００５】
そこで、本発明は、上記問題点に鑑み、一旦導入されると長期間継続的に使用される遊技媒体貸出装置の電力消費を抑制して、省エネ対策に有効な遊技媒体貸出装置と、この遊技媒体貸出装置を含む遊技場管理システムの提供を目的とする。
【課題を解決するための手段】
【０００６】
上記の課題を解決するために、請求項１に係る遊技媒体貸出装置は、遊技店に設置された遊技機に夫々対応して設けられ、対応する遊技機で使用する遊技媒体の貸出制御を行う遊技媒体貸出装置において、遊技機に正対する位置に遊技者が存在する蓋然性の高い遊技者存在状態か、遊技機に正対する位置に遊技者が居ない蓋然性の高い遊技者不在状態か、の判定に用いる遊技者存否情報を取得する遊技者存否情報取得手段と、前記遊技者存否情報取得手段により取得した遊技者存否情報が予め定めた遊技者存在判定条件を満たすことで遊技者存在状態と判定する遊技者存在状態判定手段と、前記遊技者存否情報取得手段により取得した遊技者存否情報が予め定めた遊技者不在判定条件を満たすことで遊技者不在状態と判定する遊技者不在状態判定手段と、通常稼働時に、前記遊技者不在状態判定手段により遊技者不在状態と判定されることを必要条件として、予め定めた省電力時稼働機能群のみを稼働させて電力消費を軽減する省電力モードへ移行させる省電力モード移行手段と、前記省電力モード移行手段により移行した省電力モード時に、前記遊技者存在状態判定手段により遊技者存在状態と判定される第１復帰条件または遊技者が行う操作の中から予め定めた操作が実行される第２復帰条件の何れかが達成されることに基づいて、通常時の稼働機能群が稼働する通常モードへ復帰させる通常モード復帰手段と、を備えることを特徴とする。
【０００７】
また、請求項２に係る発明は、前記請求項１に記載の遊技媒体貸出装置において、貨幣投入口より貨幣が投入されていることを検出する貨幣投入センサと、情報記録媒体挿排口より情報記録媒体が投入されていることを検出する情報記録媒体投入センサと、を備え、前記遊技者存否情報取得手段は、遊技機の前面側空間の遮蔽物を検知するエリアセンサの検知情報を遊技者存否情報として取得するようにし、前記遊技者不在状態判定手段は、前記遊技者存否情報取得手段からの遊技者存否情報により、予め定めた不在判定時間継続して遊技機の前面側空間に遮蔽物が存在しなかったときに、遊技者不在状態と判定するようにし、遊技者存在状態判定手段は、前記遊技者存否情報取得手段からの遊技者存否情報により、予め定めた存在判定時間継続して遊技機の前面側空間に遮蔽物が存在したときに、遊技者存在状態と判定するようにし、前記省電力モード移行手段は、前記貨幣投入センサによる貨幣投入が検出されていない第１付加条件と、前記情報記録媒体投入センサによる情報記録媒体投入が検出されていない第２付加条件が、共に満たされているときに、前記遊技者不在状態判定手段が遊技者不在状態と判定することで、省電力モードへ移行させるようにし、前記通常モード復帰手段が判定する第２復帰条件は、前記貨幣投入センサによる貨幣投入が検出された第１遊技者操作、または、前記情報記録媒体投入センサによる情報記録媒体投入が検出された第２遊技者操作としたことを特徴とする。
【０００８】
また、請求項３に係る発明は、前記請求項２に記載の遊技媒体貸出装置において、前記省電力モード移行手段は、省電力時稼働機能群として定めた貨幣投入センサ、情報記録媒体投入センサおよびエリアセンサのみを稼働させ、他の稼働機能群への電力供給およびパルス供給を停止することで省電力モードへ移行し、前記通常モード復帰手段は、通常時の稼働機能群への電力供給およびパルス供給を再開することで通常モードへ復帰させるようにしたことを特徴とする。
【０００９】
また、請求項４に係る発明は、前記請求項１〜請求項３の何れか１項に記載の遊技媒体貸出装置において、遊技機を動作させるための遊技機用電源供給手段を備え、前記省電力モード移行手段は、省電力モードへ移行するときに、前記遊技機用電源供給手段による遊技機への電力供給を停止するようにしたことを特徴とする。
【００１０】
また、請求項５に係る発明は、前記請求項１〜請求項３の何れか１項に記載の遊技媒体貸出装置において、遊技機を動作させるための遊技機用電源供給手段から遊技機への電力供給／停止を制御する出力制御手段に対して、電力の供給／停止を指示する電力供給指示手段を備え、前記省電力モード移行手段は、省電力モードへ移行するときに、前記電力供給指示手段から出力制御手段に対して電力供給の指示信号を出力させ、遊技機用電源供給手段から遊技機への電力供給を停止するようにしたことを特徴とする。
【００１１】
請求項６に係る遊技場管理システムは、前記請求項４又は請求項５に記載の遊技媒体貸出装置に、通常モードと省電力モードのモード状況を外部へ出力するモード状況送信手段を設け、通信回線によって接続される管理サーバへ前記遊技媒体貸出装置よりモード状況を送信し、前記管理サーバにて、遊技媒体貸出装置より受信したモード状況を当該遊技媒体貸出装置に対応する遊技機のモード状況として管理するようにしたことを特徴とする。
【００１２】
また、請求項７に係る発明は、請求項６に記載の遊技場管理システムにおいて、前記遊技媒体貸出装置は、省電力モード中に前記管理サーバより通常モード復帰指令信号を受信することで、通常モードへ復帰するものとし、予め定めた特定台番号の遊技媒体貸出装置が通常モードに移行したとき、管理サーバは、当該特定台番号の遊技媒体貸出装置に対して紐付けした特定集合に属する遊技媒体貸出装置へ通常モード復帰指令信号を送出するようにしたことを特徴とする。
【発明の効果】
【００１３】
請求項１に係る遊技媒体貸出装置によれば、遊技機に正対する位置に遊技者が存在する蓋然性の高い遊技者存在状態か、遊技機に正対する位置に遊技者が居ない蓋然性の高い遊技者不在状態か、の判定に用いる遊技者存否情報を取得する遊技者存否情報取得手段と、前記遊技者存否情報取得手段により取得した遊技者存否情報が予め定めた遊技者存在判定条件を満たすことで遊技者存在状態と判定する遊技者存在状態判定手段と、前記遊技者存否情報取得手段により取得した遊技者存否情報が予め定めた遊技者不在判定条件を満たすことで遊技者不在状態と判定する遊技者不在状態判定手段と、通常稼働時に、前記遊技者不在状態判定手段により遊技者不在状態と判定されることを必要条件として、予め定めた省電力時稼働機能群のみを稼働させて電力消費を軽減する省電力モードへ移行させる省電力モード移行手段と、前記省電力モード移行手段により移行した省電力モード時に、前記遊技者存在状態判定手段により遊技者存在状態と判定される第１復帰条件または遊技者が行う操作の中から予め定めた操作が実行される第２復帰条件の何れかが達成されることに基づいて、通常時の稼働機能群が稼働する通常モードへ復帰させる通常モード復帰手段と、を備えるので、遊技機に正対する位置に遊技者が居ない蓋然性の高い遊技者不在状態になって稼働の必要が無いときには、遊技媒体貸出装置が自動で省電力モードとなって電力消費を抑制でき、遊技機に正対する位置に遊技者が来たり遊技操作を行ったりすると、自動で通常モードに復帰するので、遊技者を戸惑わせることもない。
【００１４】
また、請求項２に係る遊技媒体貸出装置によれば、貨幣投入口より貨幣が投入されていることを検出する貨幣投入センサと、情報記録媒体挿排口より情報記録媒体が投入されていることを検出する情報記録媒体投入センサと、を備え、前記遊技者存否情報取得手段は、遊技機の前面側空間の遮蔽物を検知するエリアセンサの検知情報を遊技者存否情報として取得するようにし、前記遊技者不在状態判定手段は、前記遊技者存否情報取得手段からの遊技者存否情報により、予め定めた不在判定時間継続して遊技機の前面側空間に遮蔽物が存在しなかったときに、遊技者不在状態と判定するようにし、遊技者存在状態判定手段は、前記遊技者存否情報取得手段からの遊技者存否情報により、予め定めた存在判定時間継続して遊技機の前面側空間に遮蔽物が存在したときに、遊技者存在状態と判定するようにし、前記省電力モード移行手段は、前記貨幣投入センサによる貨幣投入が検出されていない第１付加条件と、前記情報記録媒体投入センサによる情報記録媒体投入が検出されていない第２付加条件が、共に満たされているときに、前記遊技者不在状態判定手段が遊技者不在状態と判定することで、省電力モードへ移行させるようにし、前記通常モード復帰手段が判定する第２復帰条件は、前記貨幣投入センサによる貨幣投入が検出された第１遊技者操作、または、前記情報記録媒体投入センサによる情報記録媒体投入が検出された第２遊技者操作としたので、遊技者が一時的にエリアセンサの検知範囲から外れただけで省電力モードへ移行してしまう誤動作を防げると共に、遊技者がエリアセンサの検知範囲外にいる場合でも貨幣投入あるいは情報記録媒体の投入操作を行うだけで通常モードに復帰させることが出来、利便性の高いものとなる。
【００１５】
また、請求項３に係る遊技媒体貸出装置によれば、前記省電力モード移行手段は、省電力時稼働機能群として定めた貨幣投入センサ、情報記録媒体投入センサおよびエリアセンサのみを稼働させ、他の稼働機能群への電力供給およびパルス供給を停止することで省電力モードへ移行し、前記通常モード復帰手段は、通常時の稼働機能群への電力供給およびパルス供給を再開することで通常モードへ復帰させるようにしたので、省電力モードにおける電力消費を極力抑えることができる。
【００１６】
また、請求項４に係る遊技媒体貸出装置によれば、遊技機を動作させるための遊技機用電源供給手段を備え、前記省電力モード移行手段は、省電力モードへ移行するときに、前記遊技機用電源供給手段による遊技機への電力供給を停止するようにしたので、対応する遊技機の電力消費も抑えることが可能となり、一層の節電効果を期せる。
【００１７】
また、請求項５に係る遊技媒体貸出装置によれば、遊技機を動作させるための遊技機用電源供給手段から遊技機への電力供給／停止を制御する出力制御手段に対して、電力の供給／停止を指示する電力供給指示手段を備え、前記省電力モード移行手段は、省電力モードへ移行するときに、前記電力供給指示手段から出力制御手段に対して電力供給の指示信号を出力させ、遊技機用電源供給手段から遊技機への電力供給を停止するようにしたので、対応する遊技機の電力消費も抑えることが可能となり、一層の節電効果を期せる。
【００１８】
請求項６に係る遊技場管理システムによれば、遊技媒体貸出装置に、通常モードと省電力モードのモード状況を外部へ出力するモード状況送信手段を設け、通信回線によって接続される管理サーバへ前記遊技媒体貸出装置よりモード状況を送信し、前記管理サーバにて、遊技媒体貸出装置より受信したモード状況を当該遊技媒体貸出装置に対応する遊技機のモード状況として管理するようにしたので、営業上の有意な管理情報を提供することができる。
【００１９】
また、請求項７に係る遊技場管理システムによれば、前記遊技媒体貸出装置は、省電力モード中に前記管理サーバより通常モード復帰指令信号を受信することで、通常モードへ復帰するものとし、予め定めた特定台番号の遊技媒体貸出装置が通常モードに移行したとき、管理サーバは、当該特定台番号の遊技媒体貸出装置に対して紐付けした特定集合に属する遊技媒体貸出装置へ通常モード復帰指令信号を送出するようにしたので、特定台番号の遊技媒体貸出装置の通常モード復帰と同期させて特定集団に属する遊技媒体貸出装置を全て通常モードに復帰させることが出来る。
【発明を実施するための最良の形態】
【００２０】
次に、本発明に係る遊技媒体貸出装置の最良の実施形態を添付図面に基づいて説明する。本実施形態として示す遊技媒体貸出装置は、遊技媒体として遊技球を貸し出す球貸装置に適用したが、遊技媒体としてコイン形状の遊技メダルを貸し出すメダル貸出装置にも適用可能である。
【００２１】
図１は、遊技媒体である遊技球の貸出制御機能を備えた遊技媒体貸出装置であるＣＲユニット１０の概略構成を示し、貨幣投入口１０ａから投入された貨幣Ｍによって、プリペイド媒体（例えば、磁気記録部に有価価値を記録したカード形状のプリペイドカードやＩＣを内蔵した硬貨形状のプリペイドコイン等）の有価価値記録媒体Ｃを発行したり、媒体挿排口１０ｂから投入された有価価値記録媒体Ｃに残っている有価価値に基づいて遊技球の貸出制御を行う。
【００２２】
なお、ＣＲユニット１０で遊技球貸出のために使用できるのは、購入金額に応じた有価価値が記録されたプリペイド媒体に限定されるものではなく、遊技で獲得した遊技球を貯めておける貯玉システムを利用可能な会員カードを媒体挿排口１０ｂから受け入れ、会員カードにより特定される顧客番号に応じた貯玉を引き出すように遊技球貸出を行うようにしても良い。
【００２３】
さらに、ＣＲユニット１０は、外部機器接続用中継基板１０ｃを介して、ＣＲ遊技機２０、ホールコンピュータ３０、顧客管理システムサーバ４０、プリペイドシステム管理コンピュータ５０等と接続される。
【００２４】
ＣＲ遊技機２０は、ＣＲユニット１０と１対１で接続されるもので、ＣＲユニット１０からの遊技球貸出信号を受けたＣＲ遊技機２０は、貸出要求に応じて遊技球排出装置から所定数の遊技球を払い出す。また、ＣＲ遊技機２０は、ＣＲユニット１０の遊技機用電源生成部１０ｄによって生成された遊技機用電源（ＡＣ２４Ｖ）の供給を受けて動作するもので、遊技機用電源生成部１０ｄからの電源供給が断たれると、ＣＲ遊技機２０は稼働停止する。
【００２５】
ホールコンピュータ３０は、ＣＲユニット１０で遊技球の貸出に消費した有価価値記録媒体Ｃの有価価値情報や新たに発行した有価価値記録媒体Ｃの金額情報などの各種売上信号を受信する。顧客管理システムサーバ４０は、プリペイド機能あるいは貯玉機能を有する会員カードがＣＲユニット１０へ投入されたときに、その会員カードについての顧客データ等を送信するものである。プリペイドシステム管理コンピュータは、ＣＲユニット１０において新たに発行された有価価値記録媒体Ｃの発行情報や遊技媒体貸出に伴う有価価値消費情報等の取引データを受信するものであり、この収集情報はプリペイドシステムの管理会社で管理される。
【００２６】
遊技媒体貸出装置であるＣＲユニット１０は、主たる動作制御を行う主制御回路１１（例えば、ＣＰＵ１１ａを含むコンピュータ構成）を有し、投入された貨幣Ｍの真贋や金額を識別する貨幣識別部１２、表示パネルや操作ボタンからなる表示／操作部１３、媒体挿排口１０ｂから投入された有価価値記録媒体Ｃを保持する記録媒体保持部１４（有価価値記録媒体Ｃに記録された記録情報の読出／書換を行う媒体Ｒ／Ｗ部１４ａを有する。）、外部から電源供給を受けて、主制御回路１１や遊技機用電源生成部１０ｄ等へ所要の電源を供給する電源部１５等と接続される。
【００２７】
また、ＣＲユニット１０は、「遊技機に正対する位置に遊技者が存在する蓋然性の高い遊技者存在状態か、遊技機に正対する位置に遊技者が居ない蓋然性の高い遊技者不在状態か、の判定に用いる遊技者存否情報を取得する遊技者存否情報取得手段」として、ＣＲ遊技機２０の前面側空間の遮蔽物を検知するエリアセンサ１６を備え、検知範囲内における障害物の有無に応じた障害物検知信号（あるいは障害物の離隔距離に応じた強度の検出信号）を遊技者存否情報として主制御回路１１へ供給する。
【００２８】
また、ＣＲユニット１０は、貨幣投入口１０ａより貨幣が投入されていることを検出する貨幣投入センサを含む貨幣投入検知部１７と、媒体挿排口１０ｂより有価価値記録媒体Ｃが投入されていることを検出する有価価値記録媒体投入センサを含む媒体投入検知部１８を備え、貨幣投入検知部１７からの貨幣投入検知信号および媒体投入検知部１８からの媒体投入検知信号は、主制御回路１１へ供給される。
【００２９】
更に、ＣＲユニット１０は、省電力モード中割込信号発生回路１９を備え、省電力モード中（後に詳述する）に、エリアセンサ１６からの障害物検知信号、貨幣投入検知部１７からの貨幣投入検知信号、または媒体投入検知部１８からの媒体検知信号の何れかを検出することで割込信号を発生する。省電力モード中割込信号発生回路１９から主制御回路１１へ入力された割込信号は、ＣＰＵ１１ａの割込端子に入力され、スリープモードにあるＣＰＵ１１ａが通常モードへ復帰するトリガとなる。最近では、このような割込端子を標準で備えるＣＰＵが市販されており、この割込端子の機能を使うことで、限定的な一部機能のみを稼働させたスリープモードのＣＰＵを速やかに通常モードへ復帰させることができる。無論、通常モード復帰条件となる割込信号をトリガとして、通常モードへの復帰をソフトウェア的に行えば、割込端子を備えていないＣＰＵを使うこともできる。
【００３０】
なお、ＣＰＵ１１ａが通常モードのときには、主制御回路１１より割込無効信号が省電力モード中割込信号発生回路１９へ入力されているので、エリアセンサ１６からの障害物検知信号、貨幣投入検知部１７からの貨幣投入検知信号、または媒体投入検知部１８からの媒体検知信号の何れかが検出されても、省電力モード中割込信号発生回路１９が割込信号を発生することはないが、ＣＰＵ１１ａが通常モードからスリープモードになった省電力モード中は、主制御回路１１から割込無効信号が出力されなくなるので、エリアセンサ１６からの障害物検知信号、貨幣投入検知部１７からの貨幣投入検知信号、または媒体投入検知部１８からの媒体検知信号の何れかが検出されると、省電力モード中割込信号発生回路１９が割込信号を発生するのである。
【００３１】
また、ＣＰＵ１１ａがスリープモードに移行した省電力モードにおいては、主制御回路１１からエリアセンサ１６，貨幣投入検知部１７，媒体投入検知部１８への電力供給およびパルス供給を行い、他の稼働機能群への電力供給およびパルス供給を停止することで電力消費を抑制し、通常モードに復帰すると、通常時の稼働機能群への電力供給およびパルス供給を再開する。
【００３２】
加えて、省電力モードへの移行時には、主制御回路１１が遊技機用電源生成部１０ｄの停止を指示することで、遊技機用電源の供給を断ってＣＲ遊技機２０も同時に停止させ、一層の省電力を図るようにしても良い。斯くする場合には、省電力モードから通常モードへの復帰時に、遊技機用電源生成部１０ｄからＣＲ遊技機２０へ遊技機用電源が供給されるようにすることで、ＣＲ遊技機２０も同時に再起動させる。
【００３３】
なお、一般的なＣＲ遊技機２０は、電源断からの再起動に少なからぬ時間がかかるため、ＣＲユニット１０の省電力モードと同様な省電力モードへの移行が可能なＣＲ遊技機２０を用い、省電力モードから通常モードへ瞬時に復帰できるようにしても良い。このようなＣＲ遊技機２０の省電力モード移行制御の方法としては、ＣＲユニット１０からモード移行の指令信号を送信して、ＣＲ遊技機２０が自らの制御で省電力モードへ移行するようにしても良いし、ＣＲユニット１０から供給される遊技機用電源が通常動作の電圧（ＡＣ２４Ｖ）に満たない特定の電圧範囲（例えば５〜１２Ｖなど）に変わったときに、ＣＲ遊技機２０が強制的に節電スタンバイ状態（例えばメモリバックアップのみ行う状態）へ移行するようにしても良い。
【００３４】
上述したＣＲユニット１０は、図２に示すように、ＣＲ遊技機２０と対になって島設備６０に設置され、ＣＲ遊技機２０に正対する椅子７０の上方空間を検知エリアＡとして含むエリアセンサ１６（例えば、投光部から照射した光が対象物で反射した光を受光部で受ける光センサ等）によって、椅子７０に人が座っているか否か（或いは、ＣＲ遊技機２０に触れるぐらいＣＲ遊技機２０の前面に近づいているか否か）の遊技者存否情報を取得可能である。
【００３５】
なお、エリアセンサ１６の検知エリアＡは上下左右に角度調整可能とし、ＣＲユニット１０の設置状況に応じて、最も適切な遊技者存否情報を取得できるように設定できることが望ましい。また、センサの受光部に透過率を調整できるフィルタを設けて検知距離を物理的に調節し、椅子７０の後方に居る遊技客を着座と誤検知させないようにしても良い。
【００３６】
そして、ＣＲユニット１０の主制御回路１１は、「遊技者存否情報取得手段により取得した遊技者存否情報が予め定めた遊技者存在判定条件を満たすことで遊技者存在状態と判定する遊技者存在状態判定手段」と、「遊技者存否情報取得手段により取得した遊技者存否情報が予め定めた遊技者不在判定条件を満たすことで遊技者不在状態と判定する遊技者不在状態判定手段」と、「通常稼働時に、前記遊技者不在状態判定手段により遊技者不在状態と判定されることを必要条件として、予め定めた省電力時稼働機能群のみを稼働させて電力消費を軽減する省電力モードへ移行させる省電力モード移行手段」としての機能を備え、また、主制御回路１１と省電力モード中割込信号発生回路１９が協働することで、「省電力モード移行手段により移行した省電力モード時に、遊技者存在状態判定手段により遊技者存在状態と判定される第１復帰条件または遊技者が行う操作の中から予め定めた操作が実行される第２復帰条件の何れかが達成されることに基づいて、通常時の稼働機能群が稼働する通常モードへ復帰させる通常モード復帰手段」としての機能を実現する。
【００３７】
すなわち、本実施形態に係るＣＲユニット１０によれば、ＣＲ遊技機２０に正対する位置に遊技者が居ない蓋然性の高い遊技者不在状態になって稼働の必要が無いときには、ＣＲユニット１０が自動で省電力モードとなって電力消費を抑制でき、ＣＲ遊技機２０に正対する位置に遊技者が来たり遊技操作を行ったりすると、自動で通常モードに復帰するので、遊技者を戸惑わせることもない。
【００３８】
次に、ＣＲユニット１０の主制御回路１１によって行われる省電力モード移行処理を図３（ａ）に基づき説明する。
【００３９】
先ず、媒体投入検知部１８によって有価価値記録媒体Ｃが投入中であるか否かを判定し（ステップＳ０１）、有価価値記録媒体Ｃが投入されていなかった場合には、エリアセンサ１６からの検知情報を取得し（ステップＳ０２）、遮蔽物が検知されているか否かを判定する（ステップＳ０３）。上記ステップＳ０１で有価価値記録媒体Ｃが投入されていると判定された場合、およびステップＳ０３でエリアセンサ１６が遮蔽物を検知していた場合は、遊技者が遊技中である蓋然性が高いので、再びステップＳ０１からの処理を繰り返す。
【００４０】
一方、ステップＳ０３でエリアセンサ１６が遮蔽物を検知していなかった場合には、予め定めた不在判定時間を計時するための不在タイマをリセットし（ステップＳ０４）、遊技者を一時的に検知できなかったのか、席を立って遊技者不在となったのかを判定するための時間を計時する。
【００４１】
続いて、貨幣投入検知部１７による貨幣投入が検知されたか否かを判定し（ステップＳ０５）、貨幣投入が検知されていなければ、媒体投入検知部１８により有価価値記録媒体Ｃの投入が検知されたか否かを判定し（ステップＳ０６）、有価価値記録媒体Ｃの投入が検知されていなければ、エリアセンサ１６により遮蔽物が検知されたか否かを判定する（ステップＳ０７）。
【００４２】
上記ステップＳ０５において貨幣の投入が検知された場合、ステップＳ０６において有価価値記録媒体Ｃの投入が検知された場合、またはステップＳ０６においてエリアセンサ１６により遮蔽物が検知された場合には、遊技者が遊技を再開した蓋然性が高いので、再びステップＳ０１からの処理を繰り返す。
【００４３】
すなわち、本実施形態のＣＲユニット１０においては、省電力モードへ移行する際に、エリアセンサ１６からの遊技者存否情報に基づく不在時間の判定だけではなく、貨幣投入検知部１７により貨幣の投入が検出されていない第１付加条件と、媒体投入検知部１８による有価価値記録媒体Ｃの投入が検出されていない第２付加条件を設定し、これら３つの条件全てが満たされているときに、遊技者不在状態と判定することで、省電力モードへ移行させるものとした。斯くすれば、遊技者が床に落ちた球を拾うなどして一時的にエリアセンサ１６の検知範囲から外れただけで省電力モードへ移行してしまうような誤動作を防げる。
【００４４】
しかしながら、貨幣の投入も、有価価値記録媒体Ｃの投入も検知されず、エリアセンサ１６による遮蔽物の検知も無かった場合には、遊技者が不在となった蓋然性が高いので、一定時間のウェイト語に不在タイマをインクリメントする（ステップＳ０８）。そして、不在タイマが予め定めた不在判定時間の経過に等しい閾値を超えたか否かを判定し（ステップＳ０９）、未だ不在判定時間を経過していなければ、再びステップＳ０５〜ステップＳ０８の処理を繰り返す。
【００４５】
一方、上記ステップＳ０９で、不在タイマが閾値を超えて、不在判定時間を経過したと判定された場合には、現在の状態パラメータを退避し（ステップＳ１０）、遊技機用電源の出力を停止し（ステップＳ１１）、省電力時稼働機能群として定めたエリアセンサ１６、貨幣投入検知部１７、媒体投入検知部１８、および省電力モード中割込信号発生回路１９のみを稼働させ、他の稼働機能群への電力供給およびパルス供給を停止することで省電力モードへ移行する（ステップＳ１２）。なお、省電力モード中割込信号発生回路１９は主制御回路１１内で実現することもできるので、必ずしも省電力モード中割込信号発生回路１９を省電力時稼働機能群に含める必要はない。また、ＣＲユニット１０が省電力モード中であることを表示できる省電力モード表示部を設けておき、この省電力モード表示部も省電力時稼働機能群に含ませれば、省電力モード中でも『省電力中』等の表示を有効に行うことができる。
【００４６】
上記のようにしてＣＲユニット１０が省電力モードへ移行した後、主制御回路１１によって行われる通常モード復帰処理を図３（ｂ）に基づき説明する。
【００４７】
先ず、省電力モード中割込信号発生回路１９からの割込信号を受信したか否かを判定し（ステップＳ２１）、割込信号を受信していなければ、再びステップＳ２１の判定処理を繰り返す。
【００４８】
一方、上記ステップＳ２１において割込信号を受信したと判定された場合は、省電力モードへの移行時に停止させた稼働機能群への電力供給およびパルス供給を再開することで通常モードに復帰し（ステップＳ２２）、省電力モードへの移行時に退避したパラメータに基づいて状態復帰させ（ステップＳ２３）、遊技機用電源の出力を再開する（ステップＳ２４）。
【００４９】
なお、本実施形態のＣＲユニット１０においては、通常モードへ復帰するためのトリガとなる割込信号の発生に際して、省電力モード中割込信号発生回路１９は、エリアセンサ１６からの遊技者存否情報に基づく遊技者の存在判定である第１復帰条件に加えて、遊技者が行う操作の中から予め定めた操作（貨幣投入検知部１７により貨幣の投入が検出された第１遊技者操作または媒体投入検知部１８により有価価値記録媒体Ｃの投入が検出された第２遊技者操作）が実行される第２復帰条件を判定対象としたので、遊技者がエリアセンサ１６の検知範囲外にいる場合でも、遊技開始を意図して貨幣を投入したり有価価値記録媒体Ｃを投入したりするだけで、ＣＲユニット１０およびＣＲ遊技機２０を通常モードに復帰させることが出来、利便性の高いものとなる。
【００５０】
上述したように、通常モードと省電力モードとが自動で切り替えられるＣＲユニット１０は、自らのモード変化とＣＲ遊技機２０のモード変化を同期させているので、ＣＲユニット１０のモード状況を知ることができれば、ＣＲ遊技機２０のモード状況を知ることができる。そこで、本実施形態に係るＣＲユニット１０では、主制御回路１１によって「通常モードと省電力モードのモード状況を外部へ出力するモード状況送信手段」の機能を実現し、モード状況を外部（ホールコンピュータ３０、顧客管理システムサーバ４０、あるいはプリペイドシステム管理コンピュータ５０）へ出力することが出来るようにした。
【００５１】
そして、遊技場内の各ＣＲユニット１０よりモード状況を受信した管理サーバ（例えば、プリペイドシステム管理コンピュータ５０）が、モード状況を送信して来たＣＲユニット１０に対応するＣＲ遊技機２０のモード状況として管理することで、客付きの善し悪しなど、営業上の有意な管理情報を遊技場経営者に提供することができる。
【００５２】
また、プリペイドシステム管理コンピュータ５０では、モード状況の収集・管理だけでなく、各ＣＲユニット１０への設定を行える機能を設けても良い。例えば、図４に示すプリペイドシステム管理コンピュータ５０と店内のＬＡＮ回線８０を介して各ＣＲユニット１０を接続し、プリペイドシステム管理コンピュータ５０から設定情報を各ＣＲユニット１０へ送信すれば、効率的な設定操作を行うことができる。
【００５３】
上記プリペイドシステム管理コンピュータ５０によって設定可能な項目は、特に限定されるものではないが、例えば、省電力モード移行条件（エリアセンサ１６からの遊技者存否情報に基づく遊技者不在判定、貨幣投入検知部１３による貨幣投入の有無判定、媒体投入検知部１８による有価価値記録媒体Ｃの有無判定の組み合わせ）、遊技者不在判定時間として用いる省電力移行マージンのほか、ＣＲユニット１０が省電力モードへ移行する時間帯を指定することもできる。あわせて、各ＣＲユニット１０に対応するＣＲ遊技機２０の電源供給制御も行うか否かも設定できる。
【００５４】
更に、プリペイドシステム管理コンピュータ５０から、省電力モードにあるＣＲユニット１０を強制的に通常モードへ復帰させる通常モード復帰指令信号を任意のＣＲユニット１０へ送信できるようにしても良い。すなわち、省電力モード中のＣＲユニット１０が、プリペイドシステム管理サーバ５０より通常モード復帰指令信号を受信すると、省電力モード中割込信号発生回路１９が割込信号を発生した場合と同様に、主制御回路１１のＣＰＵ１１ａが通常モードへ復帰し、対応するＣＲ遊技機２０への電源供給も再開されて、ＣＲ遊技機２０も通常動作に戻るのである。なお、プリペイドシステム管理コンピュータ５０からの通常モード復帰指令信号をＣＲユニット１０におけるＣＰＵ１１ａの割込端子に入力させて通常復帰させるシステム構成とする場合、プリペイドシステム管理コンピュータ５０とＣＲユニット１０とを通常モード復帰指令用の専用線で接続したり、中継局を介して通常モード復帰指令信号を該当するＣＲユニット１０へ入力させるようなシステム構成とする必要があり、既存の店内回線では対応できないので、例えば、ＬＡＮ回線８０を介して送信される電文がＣＲユニット１０に入力された場合に、ＣＰＵ１１ａは、この電文を解読するのに必要最低限の機能が有効となるモードに移行し、この受信した電文が自機の通常復帰であるか否かを判断した上で、再び省電力モードへ移行したり通常モードへ復帰したりするようにしても良い。
【００５５】
このように遊技場システムを構成した場合、予め定めた特定台番号のＣＲユニット１０が通常モードに移行することを契機として、プリペイドシステム管理コンピュータ５０は、当該特定台番号のＣＲユニット１０に対して紐付けした特定集合に属するＣＲユニット１０へ通常モード復帰指令信号を送出させるようにすれば、特定台番号のＣＲユニット１０の通常モード復帰と同期させて特定集団に属するＣＲユニット１０を全て通常モードに復帰させることが出来る。例えば、人がいないために全台が省電力モードになっていた遊技島に客が来たとき、その遊技島のＣＲユニット１０およびＣＲ遊技機２０を一斉に通常モードに戻すことで、遊技客による台選びの利便性を高めることができる。無論、遊技客が興味を示して近づいた台の両隣に位置する台のみ通常モードに戻すようにしても良い。
【００５６】
次に、遊技者存否情報取得手段として、複数のエリアセンサを使用した第２実施形態に係るＣＲユニット１０′を図５〜図７に基づいて説明する。なお、第１実施形態のＣＲユニット１０と同一の構成は、同一符号を付して説明を省略する。
【００５７】
本実施形態に係るＣＲユニット１０′は、検知範囲を異ならしめた第１エリアセンサ１６ａと第２エリアセンサ１６ｂを備え、これら第１，第２エリアセンサ１６ａ，１６ｂからの検知情報に基づいて、主制御回路１１′が、省電力モード移行条件に基づく省電力モードへの移行制御を行う。また、省電力モード中にあっては、主制御回路１１′内の省電力モード中割込信号発生部１１ｂが通常モード復帰条件に基づく通常モードへの復帰制御（割込信号の発生）を行う。
【００５８】
なお、通常モード復帰条件として、第２復帰条件（貨幣の投入または有価価値記録媒体Ｃの投入）を用いる場合には、貨幣の投入を検知できる貨幣識別部１２からの信号や有価価値記録媒体Ｃの投入を検知できる媒体Ｒ／Ｗ１４ａからの信号を省電力モード中割込信号発生部１１ｂへ供給しておき、第２復帰条件の達成によっても省電力モード中割込信号発生部１１ｂが割込信号を発生する構成としておけば良い。
【００５９】
また、本実施形態のＣＲユニット１０′においては、ＣＲ遊技機２０への遊技機用電源の供給／停止を制御するのではなく、外部に設けた遊技機用電源供給手段である遊技機用電源生成部９０からＣＲ遊技機２０への電力供給／停止を制御する出力制御手段９１に対して、電力の供給／停止を指示する電力供給指示信号を出力し、間接的にＣＲ遊技機２０の停止／再起動を制御するものとした。この電力供給指示信号を出力する電力供給指示手段としての機能は、主制御回路１１′によって実現するもので、省電力モードへ移行するときには、電力供給指示手段から出力制御手段９１に対して電力供給を停止する指示信号を出力し、遊技機用電源供給手段９０からＣＲ遊技機２０への電力供給を停止することで節電を図り、通常モードへ復帰するときには、電力供給指示手段から出力制御手段９１に対して電力供給を開始する指示信号を出力し、遊技機用電源供給手段９０からＣＲ遊技機２０への電力供給を開始させることで、ＣＲユニット１０′のモードとＣＲ遊技機２０のモードを同期させるのである。
【００６０】
本実施形態に係るＣＲユニット１０′で用いる第１，第２エリアセンサ１６ａ，１６ｂは、検知エリア内の遮蔽物の有無を判定するだけでなく、遮蔽物からの反射強度から、遮蔽物までの離隔距離を判定することができるものである。例えば、図６に示すように、第１エリアセンサ１６ａの検知エリアＡ１は、椅子７０に遊技者が着座したときの上半身を検知範囲（Ｂ〜Ｃの範囲）としてカバーしており、第２エリアセンサ１６ｂの検知エリアＡ２は、椅子７０に遊技者が着座したときの下肢を検知範囲（Ｅ〜Ｆの範囲）としてカバーするように設定してある。すなわち、第１エリアセンサ１６ａの出力がＢ〜Ｃの範囲にある第１着座判定条件と、第２エリアセンサ１６ｂの出力がＥ〜Ｆの範囲にある第２着座判定条件が同時に達成されたときには、着座状態と的確に判定できるので、椅子７０の後から一時的に覗き込んだだけで遊技を開始しないような場合に通常モードに復帰するような誤動作を防げる。
【００６１】
なお、偶然に第１着座判定条件と第２着座判定条件が瞬時に達成されてしまう可能性もあり、そのような一瞬の偶然を着座状態と誤認して通常モードに復帰した後、すぐに省電力モードに移行するような不具合が想定される。このような誤動作を無くすために、第１，第２着座判定条件が達成されてから直ぐに通常モードへ戻さずに、予め定めた着座判定時間Ｔ１に亘って第１，第２着座判定条件が継続していることを付加条件とし、遊技者存在状態の判定を行うようにしても良い。
【００６２】
具体的な判定例を、図７のタイムチャートに基づき説明する。第１エリアセンサ１６ａと第２エリアセンサ１６ｂの出力値が共に着座判定条件を満たしたときから、着座判定時間Ｔ１の計時を開始するが、着座判定時間Ｔ１に満たないΔｔ１が経過したときに第２エリアセンサ１６ｂが第２着座判定条件を満たさなくなった場合には、着座と判定されず、省電力モードへの移行は行わない。一方、第１エリアセンサ１６ａと第２エリアセンサ１６ｂの出力値が共に着座判定条件を満たしたときからΔｔ２が経過して、着座判定時間Ｔ１に達すると、この時から遊技者存在状態（着座状態）と判定され、通常モードへの復帰処理が行われるのである。
【００６３】
また、遊技者が遊技を止めて席を離れたか否かを判定する場合にも、同様の誤認が起きないように、退座判定時間Ｔ２による付加条件を課して、遊技者不在状態の判定を行う。第１エリアセンサ１６ａと第２エリアセンサ１６ｂの出力値が共に着座判定条件を満たした着座状態から、第２エリアセンサ１６ｂの出力値が第２着座判定条件を満たさなくなると、このときより退座判定時間Ｔ２の計時を開始し、第２エリアセンサ１６ｂが第２着座条件を満たさなくなったときからΔｔ３が経過して、退座判定時間Ｔ２に達すると、この時から遊技者不在状態と判定され、省電力モードへの移行処理が行われるのである。
【００６４】
上述したように、着座判定時間Ｔ１や退座判定時間Ｔ２を計時してモード移行条件を判定する場合、その監視にタイマ機能が必要であるが、省電力モード中にはソフトウェアによるタイマ監視が出来ないので、適宜なハードウェア論理回路で省電力モード中割込信号発生部１１ｂを構成しておくことが望ましい。図８（ａ）は、省電力モード中割込信号発生部１１ｂにおける要部の回路構成例を示すものである。なお、本回路構成例においては、着座判定時間Ｔ１よりも退座判定時間Ｔ２を長く設定しておく必要がある。
【００６５】
第１エリアセンサ１６ａからの検出信号は第１コンパレータ１０１ａに入力され、予め設定された基準値と比較することで、Ｂ〜Ｃの検知範囲に等しい検知レベルであったときに出力Ａ１がＯＮとなる。同様に、第２エリアセンサ１６ｂからの検出信号は第２コンパレータ１０１ｂに入力され、予め設定された基準値と比較することで、Ｅ〜Ｆの検知範囲に等しい検知レベルであったときに出力Ａ２がＯＮとなる。第１，第２コンパレータ１０１ａ，１０１ｂの出力Ａ１，Ａ２は、アンド回路１０２に入力されて、その和が出力Ｘとして得られる。
【００６６】
上記アンド回路１０２の出力Ｘは、第１遅延回路１０３ａおよび第２遅延回路１０３ｂに各々入力され、第１遅延回路１０３ａの出力は第１シュミット・トリガ回路１０４ａに入力され、第２遅延回路１０３ｂの出力は第２シュミット・トリガ回路１０４ｂに入力される。
【００６７】
上記第１遅延回路１０３ａは、例えばＣＲフィルタで構成することにより、入力Ｘの立ち上がり時には、第１シュミット・トリガ回路１０４ａがＯＮとなるレベルＨ１に上昇するまでの遅延時間が着座判定時間Ｔ１に等しく、入力Ｘの立ち下がり時には、第１シュミット・トリガ回路１０４ａがＯＦＦとなるレベルＬ１に低下するまでの遅延時間が着座判定時間Ｔ１に等しくなるようにする。斯く構成することで、第１シュミット・トリガ回路１０４ａには、アンド回路１０２の出力Ｘの立ち上がりタイミング及び立ち下がりタイミングよりＴ１だけ遅延してレベルＨ１，Ｌ１となる信号が第１遅延回路１０３ａより入力されることとなる。すなわち、アンド回路１０２の信号レベルがＬからＨに、もしくはＨからＬに変化した後、着座判定時間Ｔ１以上継続していれば、このＴ１経過時に、第１シュミット・トリガ回路１０４ａの出力ｘ１の信号レベルも変化するのである。
【００６８】
同様に、第２遅延回路１０３ｂも、ＣＲフィルタ等で構成することにより、入力Ｘの立ち上がり時には、第２シュミット・トリガ回路１０４ｂがＯＮとなるレベルＨ２に上昇するまでの遅延時間が退座判定時間Ｔ２に等しく、入力Ｘの立ち下がり時には、第２シュミット・トリガ回路１０４ｂがＯＦＦとなるレベルＬ２に低下するまでの遅延時間が退座判定時間Ｔ２に等しくなるようにする。斯く構成することで、第２シュミット・トリガ回路１０４ｂには、アンド回路１０２の出力Ｘの立ち上がりタイミング及び立ち下がりタイミングよりＴ２だけ遅延してレベルＨ２，Ｌ２となる信号が第２遅延回路１０３ａより入力されることとなる。すなわち、アンド回路１０２の信号レベルがＬからＨに、もしくはＨからＬに変化した後、退座判定時間Ｔ２以上継続していれば、このＴ２経過時に、第２シュミット・トリガ回路１０４ｂの出力ｘ２の信号レベルも変化するのである。
【００６９】
そして、第１シュミット・トリガ回路１０４ａの出力ｘ１と、第２シュミット・トリガ回路１０４ｂの出力ｘ２は、オア回路１０７に入力され、このオア回路１０７の出力Ｙを割込信号として用いることが出来る。
【００７０】
ここで、図８（ｂ）は、省電力モード中割込信号発生部１１ｂ内の要部における出力信号のタイミングチャートであり、本図を参照して分かるように、第１アンド回路１０２の出力Ｘの立ち上がり及び立ち下がりをトリガとして、着座判定時間Ｔ１だけ遅延して出力ｘ１の信号レベルが変化すると共に、退座判定時間Ｔ２だけ遅延して出力ｘ２の信号レベルが変化する。なお、アンド回路１０２の出力Ｘのレベル変化継続時間がＴ１に満たなければ、出力ｘ１，ｘ２の信号レベルが変化することはなく、アンド回路１０２の出力Ｘのレベル変化継続時間がＴ２よりも長ければ、出力ｘ１，ｘ２の信号レベルが共に変化する。また、アンド回路１０２の出力Ｘのレベル変化継続時間がＴ１よりも長くＴ２よりも短ければ、出力ｘ１の信号レベルのみ変化し、出力ｘ２の信号レベルは変化しない。
【００７１】
そして、アンド回路１０２の出力ＸがＨレベルに変化して、着座判定時間Ｔ１だけ継続すると、第１シュミット・トリガ回路１０４ａの出力ｘ１がＨレベルに変化し、オア回路１０５の出力ＹもＬレベルからＨレベルに変化する。従って、オア回路１０５の出力Ｙの立ち上がりは、省電力モードから通常モードへの移行条件達成を示すものである。なお、第１シュミット・トリガ回路１０４ａの出力ｘ１がＨレベルに変化してから所定時間（Ｔ２−Ｔ１）だけ経過すると、第２シュミット・トリガ回路１０４ｂの出力ｘ２もＨレベルに変化するが、オア回路１０５の出力Ｙは変化しない。
【００７２】
一方、アンド回路１０２の出力ＸがＬレベルに変化して、着座判定時間Ｔ１だけ継続すると、第１シュミット・トリガ回路１０４ａの出力ｘ１がＬレベルに変化するが、第２シュミット・トリガ回路１０４ｂの出力ｘ２はＨレベルのままなので、オア回路１０５の出力Ｙは変化しない。しかし、アンド回路１０２の出力ＸがＬレベルに変化して、退座判定時間Ｔ２以上継続すると、第２シュミット・トリガ回路１０４ｂの出力ｘ２もＬレベルに変化するので、オア回路１０５の出力ＹはＨレベルからＬレベルに変化する。従って、オア回路１０５の出力Ｙの立ち下がりは、通常モードから省電力モードへの移行条件達成を示すものである。
【００７３】
すなわち、オア回路１０５の出力Ｙは、省電力時における通常モード復帰条件が達成されたときに立ち上がり、通常時における省電力モード移行条件が達成されたときに立ち下がるパルス信号となる。
【００７４】
よって、オア回路１０５の出力Ｙの立ち上がりを省電力モードから通常モードへの移行トリガとしてＣＰＵ１１ａの割込端子に入力させれば、省電力モードから通常モードへの復帰を行うことができる。なお、上述した省電力モード中割込信号発生部１１ｂの回路構成例においては、オア回路１０５の出力Ｙの立ち下がりを通常モードから省電力モードへの移行トリガとして使えるので、これを省電力モード移行信号としてＣＰＵ１１ａへ供給すれば、通常モードで動作しているＣＰＵ１１ａが自ら省電力モード移行条件の監視を行う必要が無くなるので、その分、ＣＰＵ１１ａの負荷を軽減することが出来る。
【００７５】
以上、本発明に係る遊技媒体貸出装置の実施形態を添付図面に基づいて説明したが、本発明の包摂範囲は、これらの実施形態に限定されるものではなく、公知既存の手法を適宜転用することで実現しても構わない。
【図面の簡単な説明】
【００７６】
【図１】第１実施形態に係るＣＲユニット概略構成図である。
【図２】第１実施形態に係るＣＲユニットにおけるエリアセンサの検知エリア説明図である。
【図３】（ａ）は、省電力モード移行処理を示すフローチャートである。（ｂ）は、通常モード復帰処理を示すフローチャートである。
【図４】プリペイドシステム管理コンピュータによるＣＲユニットへの設定操作説明図である。
【図５】第２実施形態に係るＣＲユニット概略構成図である。
【図６】第２実施形態に係るＣＲユニットにおける第１エリアセンサおよび第２エリアセンサの検知エリア説明図である。
【図７】遊技者存在状態および遊技者不在状態の判定に用いる第１エリアセンサと第２エリアセンサのタイムチャートである。
【図８】（ａ）は、省電力モード中割込信号発生部における要部の回路構成例である。（ｂ）は、図８（ａ）の回路における割込信号生成過程を示すタイミングチャートである。
【符号の説明】
【００７７】
１０    遊技媒体貸出装置
１０ａ  貨幣投入口
１０ｂ  媒体挿排口
１１    主制御回路
１１ａ  ＣＰＵ
１６    エリアセンサ
１７    貨幣投入検知部
１８    媒体投入検知部
１９    省電力モード中割込信号発生回路
Ｃ      有価価値記録媒体
【図１】
2010125038.tif 000003
【図２】
2010125038.tif 000004
【図３】
2010125038.tif 000005
【図４】
2010125038.tif 000006
【図５】
2010125038.tif 000007
【図６】
2010125038.tif 000008
【図７】
2010125038.tif 000009
【図８】
2010125038.tif 000010